(57)【要約】【課題】明るさと視覚的な高艶色性を両立させることができる投写型表示装置を提供することを目的とする。【解決手段】投写型表示装置１は、光源３ａと、映像モードごとに設定された電力変調波形に応じた電力を光源３ａに供給することで光源３ａを駆動する光源駆動回路１３と、反射鏡３ｂと、ライトトンネル型反射鏡５と、光路上においてライトトンネル型反射鏡５の後段に設けられたカラーホイール８と、光路上においてライトトンネル型反射鏡５およびカラーホイール８の後段に設けられた反射型ライトバルブ２と、光路上においてカラーホイール８の後段でかつ反射型ライトバルブ２の前段に設けられ、特定の波長の光を遮断し、それ以外の波長の光を透過するトリミングフィルタ９と、トリミングフィルタ９を光路上または光路外へ移動させる移動機構１０と、映像モードに応じて移動機構１０を駆動するトリミングフィルタ駆動回路１９とを備えている。【選択図】図１
2014066773.tif 000002
【特許請求の範囲】
【請求項１】
光源と、
映像モードごとに設定された電力変調波形に応じた電力を前記光源に供給することで、前記光源を駆動する光源駆動回路と、
前記光源から出射された光を反射する反射鏡と、
前記反射鏡により反射された光の強度分布を均一化するライトトンネル型反射鏡と、
前記反射鏡により反射された光の光路上において、前記ライトトンネル型反射鏡の前段または後段に設けられたカラーホイールと、
前記光路上において、前記ライトトンネル型反射鏡および前記カラーホイールの後段に設けられたライトバルブと、
前記光路上において、前記カラーホイールの後段でかつ前記ライトバルブの前段に設けられ、特定の波長の光を遮断し、それ以外の波長の光を透過するトリミングフィルタと、
前記トリミングフィルタを前記光路上または光路外へ移動させる移動機構と、
前記映像モードに応じて前記移動機構を駆動するトリミングフィルタ駆動回路と、
を備える、投写型表示装置。
【請求項２】
前記カラーホイールは、Ｒセグメントの５０％透過波長をλｒ、Ｇセグメントの短波長側の５０％透過波長をλｇ１、Ｇセグメントの長波長側の５０％透過波長をλｇ２、Ｂセグメントの５０％透過波長をλｂとした場合、以下の数式（１）と数式（２）で表される条件、
λｒ＜λｇ２      ・・・（１）
λｇ１＜λｂ      ・・・（２）
を満足するように構成される、請求項１記載の投写型表示装置。
【請求項３】
前記トリミングフィルタは、Ｒ波長領域とＧ波長領域の境界およびＢ波長領域とＧ波長領域の境界を遮断する特性を有し、Ｂ波長領域とＧ波長領域の境界を遮断する５０％透過波長のうち、短波長側の５０％透過波長をλｔ１、長波長側の５０％透過波長をλｔ２、Ｒ波長領域とＧ波長領域の境界を遮断する５０％透過波長のうち、短波長側の５０％透過波長をλｔ３、長波長側の５０％透過波長をλｔ４とした場合、以下の数式（３）から数式（６）で表される条件、
λｔ４＞λｒ      ・・・（３）
λｔ３＜λｇ２    ・・・（４）
λｔ２＞λｇ１    ・・・（５）
λｔ１＜λｂ      ・・・（６）
を満足するように構成される、請求項１または請求項２記載の投写型表示装置。
【発明の詳細な説明】
【技術分野】
【０００１】
本発明は、ディジタル・マイクロミラー・デバイス（ＤＭＤ素子）などの反射型ライトバルブとカラーホイールを用いた単板式の投写型表示装置に関するものである。
【背景技術】
【０００２】
従来の投写型表示装置は、一般に、反射型ライトバルブと、反射型ライトバルブに光を照射するための光源と、光源を駆動する光源駆動回路と、光源からの光をライトバルブに誘導する誘導光学系と、光源からライトバルブに至る光の光路上に配置され、かつ、光源からの光の強度分布を均一化するライトトンネル型反射鏡と、光源からの光のうちライトバルブの駆動と同期して特定の波長を透過するカラーホイールと、ライトバルブから反射される映像を所定のスクリーンに投射する投写レンズとを備えて主構成されている。
【０００３】
このような従来の投写型表示装置においては、投写光を明るくするためにカラーホイールのフィルタ部に可視光全域を透過するＷセグメントを配列させることにより、光利用効率を向上させる必要がある。しかし、Ｗセグメントの角度を大きくすると、ＲＧＢの３原色のセグメントが占める角度が小さくなるため、ＲＧＢ単色光の明るさがＷ（白色）に対して相対的に暗くなる。その結果、例えばＲ（赤色）が黒みのある濁った赤色になるといった視覚的に色再現が悪くなり艶色性が低くなるという問題があった。
【０００４】
この問題を解決する技術として、セグメントの角度パターンを異ならせた複数のカラーホイールを用意し、複数のカラーホイールのうちのいずれかのカラーホイールを選択して使用する技術がある。これにより、投写光を明るくした映像モードの場合にはＷセグメントの角度が大きいタイプのカラーホイールを選択したり、ＲＧＢ単色光を明るくして色味を高める映像モードの場合にはＷセグメントの角度が小さいタイプあるいはＷセグメントがないタイプのカラーホイールを選択したりすることができる（例えば特許文献１参照）。
【先行技術文献】
【特許文献】
【０００５】
【特許文献１】特開２００４−２９４９８５号公報
【発明の概要】
【発明が解決しようとする課題】
【０００６】
しかしながら、特許文献１に記載の技術では、投写光を明るくした映像モードを選択した場合にはＲＧＢ単色光の光量が少ないため、明るさと視覚的な艶色性を両立させることができないという課題がある。
【０００７】
そこで、本発明は、明るさと視覚的な高艶色性を両立させることができる投写型表示装置を提供することを目的とする。
【課題を解決するための手段】
【０００８】
本発明に係る投写型表示装置は、光源と、映像モードごとに設定された電力変調波形に応じた電力を前記光源に供給することで、前記光源を駆動する光源駆動回路と、前記光源から出射された光を反射する反射鏡と、前記反射鏡により反射された光の強度分布を均一化するライトトンネル型反射鏡と、前記反射鏡により反射された光の光路上において、前記ライトトンネル型反射鏡の前段または後段に設けられたカラーホイールと、前記光路上において、前記ライトトンネル型反射鏡および前記カラーホイールの後段に設けられたライトバルブと、前記光路上において、前記カラーホイールの後段でかつ前記ライトバルブの前段に設けられ、特定の波長の光を遮断し、それ以外の波長の光を透過するトリミングフィルタと、前記トリミングフィルタを前記光路上または光路外へ移動させる移動機構と、前記映像モードに応じて前記移動機構を駆動するトリミングフィルタ駆動回路とを備えるものである。
【発明の効果】
【０００９】
本発明によれば、投写型表示装置は、光路上において、カラーホイールの後段でかつライトバルブの前段に設けられ、特定の波長の光を遮断し、それ以外の波長の光を透過するトリミングフィルタと、トリミングフィルタを光路上または光路外へ移動させる移動機構と、映像モードに応じて移動機構を駆動するトリミングフィルタ駆動回路とを備えた。
【００１０】
したがって、移動機構によりトリミングフィルタを光路上へ移動させた場合は、カラーホイールとトリミングフィルタとを通過した光がライトバルブに入射され、トリミングフィルタを光路外へ移動させた場合は、カラーホイールを通過した光がライトバルブに入射される。このため、映像モードに応じて、ライトバルブに入射される光におけるＲＧＢの３原色の色度を変えることができる。これにより、明るさを重視する投写画像を表示する映像モードの場合でも、ＲＧＢ単色光の比率を向上させることができるため、視覚的な高艶色性を両立させることができる。
【図面の簡単な説明】
【００１１】
【図１】実施の形態１に係る投写型表示装置の基本構成を示す図である。
【図２】カラーホイールの構成の一例を示す図である。
【図３】（ａ）明るさを重視する投写画像を表示する映像モードの場合に使用される電力変調波形を示す図である。（ｂ）色味を重視する投写画像を表示する映像モードの場合に使用される電力変調波形を示す図である。
【図４】カラーホイールのＲＧＢ各セグメントの分光透過特性の一例を示す図である。
【図５】（ａ）図４の分光透過特性において明るさを重視する投写画像を表示する映像モードでのＷＲＧＢの相対光量の一例を示す図である。（ｂ）図４の分光透過特性において色味を重視する投写画像を表示する映像モードでのＷＲＧＢの相対光量の一例を示す図である。
【図６】カラーホイールのＲＧＢ各セグメントとトリミングフィルタの分光透過特性の一例を示す図である。
【図７】（ａ）図６の分光透過特性において明るさを重視する投写画像を表示する映像モードでのＷＲＧＢの相対光量の一例を示す図である。（ｂ）図６の分光透過特性において色味を重視する投写画像を表示する映像モードでのＷＲＧＢの相対光量の一例を示す図である。
【図８】色再現範囲を示す図である。
【図９】従来の投写型表示装置の基本構成を示す図である。
【発明を実施するための形態】
【００１２】
＜実施の形態１＞
本発明の実施の形態１について、図面を用いて以下に説明する。図１は、本発明の実施の形態１に係る投写型表示装置１の基本構成を示す図である。投写型表示装置１は、光源系３と、光源駆動回路１３と、集光レンズ４と、ライトトンネル型反射鏡５と、カラーホイール８と、トリミングフィルタ９と、移動機構１０と、トリミングフィルタ駆動回路１９と、リレーレンズ６と、反射型ライトバルブ２と、投写光学系７とを備えている。なお、実際には投写光学系７の後段にスクリーンが配置されるが、スクリーンは本発明と関連がないため、図１では図示を省略している。
【００１３】
光源系３は、光源３ａと、光源３ａから出射された光を反射型ライトバルブ２側に反射させる反射鏡３ｂとから構成され、光源３ａは光源駆動回路１３により駆動される。なお、光源３ａとしては、通常、高圧水銀ランプ、ハロゲンランプ、キセノンランプなどを採用するが、連続スペクトルを有する発光デバイスであれば上記以外のデバイスを採用してもよい。
【００１４】
また、反射鏡３ｂの形状および構造は特に限定されない。例えば、反射鏡３ｂの形状は楕円面または放物面でもよい。なお、反射鏡３ｂの形状が楕円面の場合には集光レンズ４を配置せずに、ライトトンネル型反射鏡５の前面に、反射鏡３ｂにより反射された光を入射してもよい。
【００１５】
集光レンズ４は、反射鏡３ｂにより反射された光の光路上に配置されている。ライトトンネル型反射鏡５は、集光レンズ４の後段に配置されている。ライトトンネル型反射鏡５は、一般的にガラスなどの透明材料で製造され、側壁内側が全反射面となるように構成されている。すなわち、ライトトンネル型反射鏡５は、四角柱状のロッド（すなわち、断面形状が四辺形の柱状部材）、または、光反射面を内側にして筒状に組み合わされ断面形状が四辺形のパイプ（管状部材）により構成されている。
【００１６】
ライトトンネル型反射鏡５は、集光レンズ４を介してライトトンネル型反射鏡５の入射口５ａの近傍に集光した光を側壁内側で複数回反射させることにより、光の強度分布を均一化する機能を有する。ライトトンネル型反射鏡５の出射口５ｂの近傍においては、略均一な光の強度分布が得られる。
【００１７】
出射口５ｂから出射された光は、カラーホイール８とトリミングフィルタ９を透過した後、リレーレンズ６を介して反射型ライトバルブ２へと導かれる。出射口５ｂと反射型ライトバルブ２は共役関係であるため、反射型ライトバルブ２に照射される光が均一化され、投写光学系７を介してスクリーン上には照度ムラがほとんどない良好な画像が投写される。ここで、出射口５ｂから出射された光は、トリミングフィルタ９を透過せずにカラーホイール８のみを透過する場合があるが、その詳細については後述することとする。
【００１８】
カラーホイール８は、光路上において、ライトトンネル型反射鏡５の後段に配置され、ライトトンネル型反射鏡５から出射された光のうち、反射型ライトバルブ２の駆動と同期して特定の波長の光を透過するＲ，Ｇ，Ｂセグメント８Ｒ，８Ｇ，８Ｂ（図２参照）と、全波長領域の光を透過するＷセグメント８Ｗ（図２参照）とを含む構成である。カラーホイール８の詳細については後述することとする。
【００１９】
トリミングフィルタ９は、カラーホイール８の後段に配置され、カラーホイール８を透過した光のうち、特定の波長の光を遮断し、それ以外の波長の光を透過する。移動機構１０は、トリミングフィルタ９を光路上または光路外へ移動させる。
【００２０】
移動機構１０は、例えば、トリミングフィルタ９が保持されたホルダー（図示省略）と、駆動モータ（図示省略）とを備え、駆動モータの回転運動を水平運動に変換して伝達する伝達系（図示省略）を介してホルダーが接続されている。駆動モータの駆動により伝達系を介して、ホルダーが光軸Ｃと直交方向に水平移動するように構成されている。なお、移動機構１０の構造は、特に限定されない。また、図１では、光軸Ｃと直交する方向に水平移動させているが、光軸Ｃと直交する方向に回転移動させてもよい。
【００２１】
トリミングフィルタ駆動回路１９は、映像モードに応じて移動機構１０（より具体的には移動機構１０の駆動モータ）を駆動する。ここで、投写型表示装置１においては、映像モードとして、明るさを重視する投写画像を表示する映像モード（以下「明るさを重視する映像モード」と称す）と、色味を重視する投写画像を表示する映像モード（以下「色味を重視する映像モード」と称す）などを設定できるように構成されている。
【００２２】
より具体的には、トリミングフィルタ駆動回路１９は、映像の色味を重視する映像モードでは、トリミングフィルタ９を光路上（図１の実線で示す位置）に移動させるように移動機構１０を駆動する。また、トリミングフィルタ駆動回路１９は、映像の明るさを重視する映像モードでは、トリミングフィルタ９を光路外（図１の２点鎖線で示す位置）に移動させるように移動機構１０を駆動する。
【００２３】
リレーレンズ６は、トリミングフィルタ９の後段に配置され、カラーホイール８とトリミングフィルタ９を透過した光、または、カラーホイール８を透過した光を反射型ライトバルブ２へ出射する。
【００２４】
反射型ライトバルブ２は、光路上において、ライトトンネル型反射鏡５とカラーホイール８の後段に配置されている。より具体的には、反射型ライトバルブ２は、光路上において、リレーレンズ６の後段に配置されている。
【００２５】
反射型ライトバルブ２は、ＤＭＤ素子であり、各画素に対応する可動式のマイクロミラーを多数（例えば、数十万個〜数百万個）平面的に配列し、表示すべき映像信号の画素情報に応じて各マイクロミラーの傾斜を変化させるように構成されている。マイクロミラーの配列された面（すなわち、マイクロミラーが形成された基板の表面）を基準面とすると、反射型ライトバルブ２は、ＯＮ時は各マイクロミラーを基準面に対して一定の方向に角度α（例えば、１２度）だけ傾けることにより、入射光を投写光学系７に向けて反射し、投写光学系７に入射された光（すなわち、ＯＮ光）はスクリーン上の投写画像に利用される。
【００２６】
一方、反射型ライトバルブ２は、ＯＦＦ時はマイクロミラーを基準面に対して反対方向に角度αだけ傾けることにより、入射光を投写光学系７から離れた位置に設けられた光吸収板（図示省略）に向けて反射し、光吸収板に入射された光（すなわち、ＯＦＦ光）はスクリーン上の投写画像に利用されない。これにより白黒表示が可能となる。なお、反射型ライトバルブ２としては、ＤＭＤ素子以外にも、単板であればどのような反射型ライトバルブを採用してもよい。例えば、反射型の液晶素子でもよい。
【００２７】
投写光学系７は、光路上において、反射型ライトバルブ２の後段に配置され、反射型ライトバルブ２で変調された映像光をスクリーンに投影する。
【００２８】
次に、図２と図３を用いてカラーホイール８の詳細について説明する。図２は、カラーホイール８の構成の一例を示す図である。カラーホイール８は、Ｒ（赤）、Ｇ（緑）、Ｂ（青）の３原色のカラーフィルタ８Ｒ，８Ｇ，８Ｂと、可視光の全波長領域を透過するＷ（白）のカラーフィルタ８Ｗとを合わせた配列パターンを有している。
【００２９】
カラーホイール８は、モータ（図示省略）の駆動により回転するように構成されている。モータの駆動によりカラーホイール８を回転することで、反射型ライトバルブ２の駆動と同期して、ＷＲＧＢのいずれかのセグメントを光路上に配置することができる。これにより、反射型ライトバルブ２と同期させることでカラー表示が可能となり、ＷＲＧＢの各セグメント内でＯＮ光とＯＦＦ光を組み合わせることで階調を作ることができる。以下、カラーフィルタ８Ｒ，８Ｇ，８Ｂ，８Ｗを、セグメント８Ｒ，８Ｇ，８Ｂ，８Ｗとも称す。
【００３０】
図３は、光源駆動回路１３から光源３ａへ入力される電力変調波形の一例を示す図である。図３（ａ）は、明るさを重視する映像モードの場合に使用される電力変調波形を示す図である。Ｗセグメント８Ｗにおいては、光源駆動回路１３は、光源駆動回路１３からの出力電力の平均値（１００％）を上回る電力を出力する。一方、Ｒ，Ｇ，Ｂセグメント８Ｒ，８Ｇ，８Ｂにおいては、光源駆動回路１３は平均値を下回る電力を出力する。これにより、カラーホイール８に入射された光のうちの、Ｗセグメント８Ｗを透過する光量の占める割合を角度比率以上にすることができる。
【００３１】
図３（ｂ）は、色味を重視する映像モードの場合に使用される電力変調波形を示す図である。Ｗセグメント８Ｗにおいては、光源駆動回路１３は、光源駆動回路１３からの出力電力の平均値（１００％）を下回る電力を出力する。逆に、ＲＧＢセグメント８Ｒ，８Ｇ，８Ｂにおいては、光源駆動回路１３は平均値を上回る電力を出力する。これにより、カラーホイール８に入射された光のうちの、Ｒ，Ｇ，Ｂセグメント８Ｒ，８Ｇ，８Ｂを透過する光量の占める割合を角度比率以上にすることができる。
【００３２】
次に、本実施の形態に係る投写型表示装置１の色度調整について、トリミングフィルタ９を備えていない従来の投写型表示装置１０１の場合と対比して説明する。最初に、従来の投写型表示装置１０１の場合について説明する。
【００３３】
図９は、従来の投写型表示装置１０１の基本構成を示す図であり、図４は、カラーホイール８のＲＧＢ各セグメント８Ｒ，８Ｇ，８Ｂの分光透過特性の一例を示す図であり、図５（ａ）は、図４に示す分光透過特性において図３（ａ）に示す電力変調波形を入力した場合のＷＲＧＢの相対光量の一例を示す図であり、図５（ｂ）は、図４に示す分光透過特性において図３（ｂ）に示す電力変調波形を入力した場合のＷＲＧＢの相対光量の一例を示す図である。
【００３４】
図９に示すように、従来の投写型表示装置１０１は、投写型表示装置１からトリミングフィルタ９と移動機構１０とトリミングフィルタ駆動回路１９を省略した構成である。このため、投写型表示装置１と同じ構成要素については同一符号を付して説明は省略する。
【００３５】
図４に示すように、所望の色再現範囲を実現するために、Ｒセグメント８Ｒの５０％透過波長λｒは、Ｇセグメント８Ｇの長波長側５０％透過波長λｇ２よりも長波長側に設定されている。また、Ｂセグメント８Ｂの５０％透過波長λｂは、Ｇセグメント８Ｇの短波長側５０％透過波長λｇ１よりも短波長側に設定されている。なお、Ｗセグメント８Ｗは可視光全域を透過する特性のため、図４では図示が省略されている。
【００３６】
図５（ｂ）においては、ＲＧＢの３原色のセグメント８Ｒ，８Ｇ，８Ｂを透過する際の電力が平均電力を上回っているため、Ｒ単色光とＧ単色光とＢ単色光を加算した光量をＷの光量（ＲＧＢ単色光を含む、以下省略）に近づけることが可能である。しかし、図５（ａ）においては、ＲＧＢの３原色のセグメント８Ｒ，８Ｇ，８Ｂを透過する際の電力が平均電力を下回っているため、Ｒ単色光とＧ単色光とＢ単色光を加算した光量をＷの光量に近づけることは不可能である。このため、ＲＧＢ各単色光のＷに対する相対光量は極度に低くなる。これにより、従来の投写型表示装置１０１では、明るさを重視する映像モードの場合は、ＲＧＢ各単色光が視覚的に濁った色に見えてしまい色再現性が悪く見える、すなわち艶色性が低くなる。
【００３７】
次に、本実施の形態に係る投写型表示装置１の色度調整について説明する。図６は、カラーホイール８のＲＧＢ各セグメント８Ｒ，８Ｇ，８Ｂとトリミングフィルタ９の分光透過特性の一例を示す図である。カラーホイール８において、Ｒセグメント８Ｒの５０％透過波長λｒは、Ｇセグメント８Ｇの長波長側５０％透過波長λｇ２よりも短波長側に設定されている。また、Ｂセグメント８Ｂの５０％透過波長λｂはＧセグメント８Ｇの短波長側５０％透過波長λｇ１よりも長波長側に設定されている。つまり、以下の数式（１）と数式（２）で表される条件を満足するように、カラーホイール８のＲＧＢ各セグメント８Ｒ，８Ｇ，８Ｂの５０％透過波長が設定されている。
【００３８】
λｒ＜λｇ２      ・・・（１）
λｇ１＜λｂ      ・・・（２）
これにより、カラーホイール８のＲＧＢセグメント８Ｒ，８Ｇ，８Ｂを透過する光量を増やすことができる。なお、Ｗセグメント８Ｗは可視光全域を透過する特性のため、図６では図示が省略されている。
【００３９】
トリミングフィルタ９は、Ｒ波長領域とＧ波長領域の境界となる波長の光と、Ｂ波長領域とＧ波長領域の境界となる波長の光とを遮断し、それ以外の波長の光を透過する特性を有している。Ｒ波長領域とＧ波長領域の境界となる波長の光を遮断する５０％透過波長のうち、長波長側５０％透過波長λｔ４は、カラーホイール８のＲセグメント８Ｒの５０％波長λｒよりも長波長側に設定されている。短波長側５０％透過波長λｔ３は、カラーホイール８のＧセグメント８Ｇの長波長側５０％波長λｇ２よりも短波長側に設定されている。
【００４０】
また、Ｂ波長領域とＧ波長領域の境界となる波長の光を遮断する５０％透過波長のうち、長波長側の５０％透過波長λｔ２は、カラーホイール８のＧセグメント８Ｇの短波側５０％波長λｇ１よりも長波長側に設定されている。短波長側の５０％透過波長λｔ１は、カラーホイール８のＢセグメント８Ｂの５０％波長λｂよりも短波長側に設定されている。つまり、以下の数式（３）から数式（６）で表される条件を満足するように、トリミングフィルタ９の５０％透過波長が設定されている。
【００４１】
λｔ４＞λｒ      ・・・（３）
λｔ３＜λｇ２    ・・・（４）
λｔ２＞λｇ１    ・・・（５）
λｔ１＜λｂ      ・・・（６）
これにより、カラーホイール８のＲＧＢセグメント８Ｒ，８Ｇ，８Ｂを透過した光量の波長特性を制御することができる。
【００４２】
図７（ａ）は、図６に示す分光透過特性において図３（ａ）に示す電力変調波形を入力した場合のＷＲＧＢの相対光量の一例を示す図であり、図７（ｂ）は、図６に示す分光透過特性において図３（ｂ）に示す電力変調波形を入力した場合のＷＲＧＢの相対光量の一例を示す図であり、図８はそれぞれの色再現範囲を表すｘｙ色度図である。
【００４３】
明るさを重視する映像モードが選択された場合、光源駆動回路１３から光源３ａに対して図３（ａ）の電力変調波形を出力するとともに、トリミングフィルタ駆動回路１９により移動機構１０を介してトリミングフィルタ９を光路外に移動させる。明るさを重視する映像モードにおいては、ライトトンネル型反射鏡５から出射された光がトリミングフィルタ９を透過しない。その結果、ＲＧＢの３原色の色度はカラーホイール８のみで主に決まるため、図８の実線で示すように、色再現範囲は色味を重視する映像モードの場合と比べて狭くなる。
【００４４】
しかし、図７（ａ）に示すように、図５（ａ）の場合と比較して、ＲＧＢ各単色光の光量が大きくなり、ＲＧＢ各単色光の光量とＷ光量との差が極力抑えられるため、ＲＧＢ各単色光が視覚的に濁った色に見えてしまうことがなくなる、すなわち視覚上の色再現性は抑制され、明るさと艶色性の両立を図ることができる。
【００４５】
一方、色味を重視する映像モードが選択された場合、光源駆動回路１３から光源３ａに対して図３（ｂ）の電力変調波形を出力するとともに、同様にトリミングフィルタ駆動回路１９により移動機構１０を介してトリミングフィルタ９を光路上に移動させる。色味を重視するモードにおいては、ライトトンネル型反射鏡５から出射された光がカラーホイール８とトリミングフィルタ９を透過することで、ＲＧＢの３原色の色度はカラーホイール８の分光透過特性とトリミングフィルタ９の分光透過特性の積算で主に決まるため、図８の点線で示すように、色再現範囲を広くとることができる。
【００４６】
この場合、カラーホイール８のＲＧＢセグメント８Ｒ，８Ｇ，８Ｂを透過する光量は増加するものの、トリミングフィルタ９によりＲ波長領域とＧ波長領域の境界となる波長の光と、Ｂ波長領域とＧ波長領域の境界となる波長の光とが遮断されるため、図７（ｂ）に示すようにＷＲＧＢの相対光量は、図５（ｂ）の場合と同様となる。
【００４７】
以上のように、実施の形態１に係る投写型表示装置１では、光路上において、カラーホイール８の後段でかつ反射型ライトバルブ２の前段に設けられ、特定の波長の光を遮断し、それ以外の波長の光を透過するトリミングフィルタ９と、トリミングフィルタ９を、カラーホイール８から反射型ライトバルブ２に至る光路上または光路外へ移動させる移動機構１０と、映像モードに応じて移動機構１０を駆動するトリミングフィルタ駆動回路１９とを備えた。
【００４８】
したがって、移動機構１０によりトリミングフィルタ９を光路上へ移動させた場合は、カラーホイール８とトリミングフィルタ９とを通過した光が反射型ライトバルブ２に入射され、トリミングフィルタ９を光路外へ移動させた場合は、カラーホイール８を通過した光が反射型ライトバルブ２に入射される。このため、映像モードに応じて、反射型ライトバルブ２に入射される光におけるＲＧＢの３原色の色度を変えることができる。これにより、明るさを重視する映像モードの場合でも、ＲＧＢ単色光の比率を向上させることができるため、視覚的な高艶色性を両立させることができる。
【００４９】
カラーホイール８は、Ｒセグメントの５０％透過波長をλｒ、Ｇセグメントの短波長側の５０％透過波長をλｇ１、Ｇセグメントの長波長側の５０％透過波長をλｇ２、Ｂセグメントの５０％透過波長をλｂとした場合、数式（１）と数式（２）で表される条件を満足するように構成されるため、カラーホイール８のＲＧＢセグメント８Ｒ，８Ｇ，８Ｂを透過する光量を増加させることができる。
【００５０】
トリミングフィルタ９は、Ｒ波長領域とＧ波長領域の境界およびＢ波長領域とＧ波長領域の境界を遮断する特性を有し、Ｂ波長領域とＧ波長領域の境界を遮断する５０％透過波長のうち、短波長側の５０％透過波長をλｔ１、長波長側の５０％透過波長をλｔ２、Ｒ波長領域とＧ波長領域の境界を遮断する５０％透過波長のうち、短波長側の５０％透過波長をλｔ３、長波長側の５０％透過波長をλｔ４とした場合、数式（３）から数式（６）で表される条件を満足するように構成されるため、カラーホイール８のＲＧＢセグメント８Ｒ，８Ｇ，８Ｂを透過した光の波長特性を制御することができる。
【００５１】
本実施の形態では、トリミングフィルタ９は、カラーホイール８からの戻り光による温度上昇を防ぐために、カラーホイール８の後段に配置されることが望ましい。図１において、カラーホイール８とトリミングフィルタ９はライトトンネル型反射鏡５の後段に配置されているが、ライトトンネル型反射鏡５の前段に配置されてもよい。また、カラーホイール８はライトトンネル型反射鏡５の前段に、トリミングフィルタ９はライトトンネル型反射鏡５の後段にそれぞれ配置されてもよい。
【００５２】
なお、本発明は、その発明の範囲内において、実施の形態を適宜、変形、省略することが可能である。
【符号の説明】
【００５３】
１  投写型表示装置、２  反射型ライトバルブ、３ａ  光源、３ｂ  反射鏡、５  ライトトンネル型反射鏡、８  カラーホイール、９  トリミングフィルタ、１０  移動機構、１３  光源駆動回路、１９  トリミングフィルタ駆動回路。
【図１】
2014066773.tif 000003
【図２】
2014066773.tif 000004
【図３】
2014066773.tif 000005
【図４】
2014066773.tif 000006
【図５】
2014066773.tif 000007
【図６】
2014066773.tif 000008
【図７】
2014066773.tif 000009
【図８】
2014066773.tif 000010
【図９】
2014066773.tif 000011